【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
フォトニック結晶特性を用いた表示方法であって、
同符号の電荷を持つ複数の粒子を、電気分極特性（電場が印加されると電気分極が誘発され、該印加電場が変化することによって電気分極量が変化する）を持つ溶媒中に分散させた状態で電場を印加することによって、前記溶媒が分極された状態で前記粒子間の距離を制御するステップを含み、該ステップが、
前記電場の強さまたは方向のうちの少なくとも一方を変化させることによって前記粒子間距離を変化させ、該粒子間距離の変化によって、前記複数の粒子から反射される光の波長を変化させるステップを含むことを特徴とする表示方法。
【請求項２】
フォトニック結晶特性を用いた表示方法であって、
同符号の電荷及び電気分極特性（電場が印加されると電気分極が誘発され、該印加電場が変化することによって電気分極量が変化する）を持つ複数の粒子を溶媒中に分散させた状態で電場を印加することによって、前記粒子が分極された状態で前記粒子間の距離を制御するステップを含み、該ステップが、
前記電場の強さまたは方向のうちの少なくとも一方を変化させることによって前記粒子間距離を変化させ、該粒子間距離の変化によって、前記複数の粒子から反射される光の波長を変化させるステップを含むことを特徴とする表示方法。
【請求項３】
前記電場を印加することによって、前記電場と前記粒子との間に発生して前記複数の粒子の電気泳動を生じさせる電気力と、前記同符号の電荷を持つ複数の粒子間に発生する電気力と、前記電気分極によって発生する電気力との間の相互作用により、前記粒子間距離を特定範囲内に維持し、該粒子間距離を前記特定範囲内に維持することによって、特定波長パターンの光が前記複数の粒子から反射されるようにすることを特徴とする請求項１または請求項２のうちいずれか１項に記載の表示方法。
【請求項４】
前記電気分極特性を持つ粒子または前記電気分極特性を持つ溶媒が、超常誘電性または強誘電性物質を含むことを特徴とする請求項１または請求項２のうちいずれか１項に記載のフォトニック結晶特性を用いた表示方法。
【請求項５】
前記粒子と前記溶媒との屈折率の差が０．３以上であることを特徴とする請求項１または請求項２のうちいずれか１項に記載の表示方法。
【請求項６】
前記電気分極特性を持つ溶媒が、極性指数１以上の物質を含むことを特徴とする請求項１に記載のフォトニック結晶特性を用いた表示方法。
【請求項７】
前記粒子及び前記溶媒が、光透過性物質でできているカプセルによってカプセル化されていることを特徴とする請求項１または請求項２のうちいずれか１項に記載のフォトニック結晶特性を用いた表示方法。
【請求項８】
前記粒子及び前記溶媒が、絶縁物質でできているセルによって区画化されていることを特徴とする請求項１または請求項２のうちいずれか１項に記載のフォトニック結晶特性を用いた表示方法。
【請求項９】
前記電場が印加される領域を少なくとも２つの部分領域に分割し、該分割された少なくとも２つの部分領域にそれぞれ電場を印加することを特徴とする請求項１または請求項２のうちいずれか１項に記載の表示方法。
【請求項１０】
前記粒子または前記溶媒に前記電場を印加した後に、該電場と反対の極性を有する電場を印加して前記粒子間距離をリセットすることを特徴とする請求項１または請求項２のうちいずれか１項に記載の表示方法。
【請求項１１】
前記電場を印加する前に、前記粒子間距離を所定の粒子間距離に維持するために、待機電場を印加することを特徴とする請求項１または請求項２のうちいずれか１項に記載の表示方法。
【請求項１２】
前記電場が印加される強さ、時間または周期のうちの少なくとも１つを調節することによって、前記粒子間距離を制御することを特徴とする請求項１または請求項２のうちいずれか１項に記載の表示方法。
【請求項１３】
前記複数の粒子を通過する光を用いて電気エネルギーを発生させ、該電気エネルギーを用いて前記電場を印加することを特徴とする請求項１または請求項２のうちいずれか１項に記載の表示方法。
【請求項１４】
上部電極及び下部電極を介して前記電場を印加し、かつ前記電場の強さを所定値未満に設定して前記粒子の移動範囲を所定値未満に制御することによって、前記粒子、前記溶媒、前記上部電極または前記下部電極のうちいずれか１つの、固有の色を表示することを特徴とする請求項１または請求項２のうちいずれか１項に記載の表示方法。
【請求項１５】
上部電極及び下部電極を介して前記電場を印加し、かつ前記電場の強さを所定値以上に設定して前記粒子を前記上部または下部のいずれかの電極の少なくとも一部の領域に向かって移動させることによって、前記粒子、前記溶媒、前記上部電極または前記下部電極のうちいずれか１つの、固有の色を表示することを特徴とする請求項１または請求項２のうちいずれか１項に記載の表示方法。
【請求項１６】
負電荷を持つ複数の第１の粒子と正電荷を持つ複数の第２の粒子を前記溶媒中に分散させた状態で電場を印加し、前記第１の粒子間距離及び前記第２の粒子間距離を制御し、
前記第１の粒子間距離及び前記第２の粒子間距離が、前記電場によって互いに独立して制御されるようにすることを特徴とする請求項１または請求項２のうちいずれか１項に記載の表示方法。
【請求項１７】
フォトニック結晶特性を用いた表示装置であって、
同符号の電荷を持つ複数の粒子及び電気分極特性（電場が印加されると電気分極が誘発され、該印加電場が変化することによって電気分極量が変化する）を持つ溶媒を含む表示部と、
前記表示部に印加される電場を発生させる電場発生部とを含み、
前記粒子が前記溶媒中に分散されており、電場が印加されると、前記溶媒が分極された状態で前記粒子間の距離を制御するように構成されており、
前記電場の強さまたは方向のうちの少なくとも一方を変化させることによって前記粒子間距離を変化させ、該粒子間距離の変化によって、前記複数の粒子から反射される光の波長を変化させるようにしたことを特徴とする表示装置。
【請求項１８】
フォトニック結晶特性を用いた表示装置であって、
同符号の電荷及び電気分極特性（電場が印加されると電気分極が誘発され、該印加電場が変化することによって電気分極量が変化する）を持つ複数の粒子並びに、溶媒を含む表示部と、
前記表示部に印加される電場を発生させる電場発生部とを含み、
前記粒子が前記溶媒中に分散されており、電場が印加されると、前記粒子が分極された状態で前記粒子間の距離を制御するように構成されており、
前記電場の強さまたは方向のうちの少なくとも一方を変化させることによって前記粒子間距離を変化させ、該粒子間距離の変化によって、前記複数の粒子から反射される光の波長を変化させるようにしたことを特徴とする表示装置。
【請求項１９】
前記粒子及び前記溶媒が、光透過性物質でできているカプセルによってカプセル化されていることを特徴とする請求項１７または請求項１８のうちいずれか１項に記載の表示装置。
【請求項２０】
前記粒子及び前記溶媒が、絶縁物質でできているセルによって区画化されていることを特徴とする請求項１７または請求項１８のうちいずれか１項に記載の表示装置。
【請求項２１】
前記電場発生部が少なくとも２つの部分領域に分割されており、該分割された少なくとも２つの部分領域を通してそれぞれ電場が印加されるようにしたことを特徴とする請求項１７または請求項１８のうちいずれか１項に記載の表示装置。
【請求項２２】
前記複数の粒子を通過する光を用いて電気エネルギーを発生させる太陽電池部をさらに含み、前記電気エネルギーを用いて前記電場が印加されるようにしたことを特徴とする請求項１７または請求項１８のうちいずれか１項に記載の表示装置。
【請求項２３】
上部電極及び下部電極を介して前記電場を印加し、かつ前記電場の強さを所定値以上に設定し、前記粒子を前記上部または前記下部のいずれかの電極の少なくとも一部の領域に移動させることによって、前記粒子、前記溶媒、前記上部電極または前記下部電極のうちのいずれか１つの、固有の色が表示されるようにしたことを特徴とする請求項１７または請求項１８のうちいずれか１項に記載の表示装置。